(57)【要約】【課題】  自由度の高い小物整理が可能でありながら従来のような摺動機構部の故障がなく、しかも製造コストを安価にすることが可能な構成の整理箱を提供する。【解決手段】  底板１１及びこの底板１１の周囲から上方に延びた側板１２を有して上方に開口した箱体１０と、この箱体１０の内部に形成された空間ＳＰを仕切るように箱体１０の底板１１上に配置された一又は複数の可動仕切り部材１５を備える。そして、箱体１０の底板１１を鉄板から構成するとともに、各可動仕切り部材１５の下面に永久磁石ＭＧを設けることにより、各可動仕切り部材１５を底板１１に対して着脱自在、かつ底板１１上を移動自在として、物品の寸法等に合わせたきめ細かい可動仕切り部材１５の位置設定を可能とする。【選択図】        図１
0003110993.tif 000002
【実用新案登録請求の範囲】
【請求項１】
底板及びこの底板の周囲から上方に延びた側板を有して上方に開口した箱体と、
前記箱体の内部に形成された空間を仕切るように前記箱体の底板上に載置された一又は複数の可動仕切り部材とを備え、
前記箱体の前記底板を磁石に引き付けられる材料から構成するとともに、前記可動仕切り部材の下面に永久磁石を設けたことを特徴とする整理箱。
【請求項２】
底板及びこの底板の周囲から上方に延びた側板を有して上方に開口した箱体と、前記箱体の上面に設置された磁石に引き付けられる材料からなる板状部材と、前記箱体の内部に形成された空間を仕切るように前記板状部材上に載置された一又は複数の可動仕切り部材を備え、
前記可動仕切り部材の下面に永久磁石を設けたことを特徴とする整理箱。
【請求項３】
前記箱体に保持されて前記箱体の内部に形成された前記空間を仕切る一又は複数の固定仕切り部材を有し、前記可動仕切り部材が前記箱体の前記側板と前記固定仕切り部材との間の領域若しくは隣接する固定仕切り部材同士の間の領域を仕切るように設けられたことを特徴とする請求項１又は２記載の整理箱。
【請求項４】
前記固定仕切り部材は前記箱体に着脱自在に保持されることを特徴とする請求項３記載の整理箱。
【請求項５】
前記整理箱が抽斗として構成されたことを特徴とする請求項１〜４のいずれかに記載の整理箱。
【考案の詳細な説明】
【技術分野】
【０００１】
本考案は、小物等を収納整理するために用いられる整理箱に関する。
【背景技術】
【０００２】
文具をはじめとする小物等を収納整理するために用いられる整理箱は、底板及び底板の周囲から上方に延びた側板を有して上方に開口した箱体と、この箱体の内部に形成された空間を仕切る仕切り部材とを有して構成されている。この仕切り部材は例えば薄厚の板材からなり、整理箱の側板内面に上下方向に延びて設けられた溝に上方から差し込むようにして設けられる。
【０００３】
また、特開２００４−１７３７７１号公報には、箱体内部にレールを固定するとともに、仕切り部材（仕切り板）の一端部がこのレールにより支持された状態でレールに沿って摺動（スライド）移動させることができるようにした抽斗が開示されている。このような構成の整理箱（抽斗）では、仕切り部材をレールに沿った任意の位置に設置することができるので、収納整理しようとする物の寸法等に合わせて仕切り部材を移動させることにより、自由度の高い小物整理が可能である。
【考案の開示】
【考案が解決しようとする課題】
【０００４】
しかしながら、上記従来の整理箱（抽斗）のように仕切り部材をレールに沿って摺動移動させる構成では、仕切り部材の端部及びこれを支持するレール側の構造を所定の形状に加工する必要があり、所要の工作精度も求められるため、製造コストがその分高くなってしまう。また、摺動（スライド）機構を有するため、仕切り部材をレールに沿って移動させる頻度が大きくなると摺動部にガタが生じてしまい、仕切り部材の滑らかな摺動ができなるおそれもある。
【０００５】
本考案はこのような問題に鑑みてなされたものであり、自由度の高い小物整理が可能でありながら従来のような摺動機構部の故障がなく、しかも製造コストを安価にすることが可能な構成の整理箱を提供することを目的としている。
【課題を解決するための手段】
【０００６】
このような目的を達成するため、本考案に係る整理箱は、底板及びこの底板の周囲から上方に延びた側板を有して上方に開口した箱体と、この箱体の内部に形成された空間を仕切るように箱体の底板上に載置された一又は複数の可動仕切り部材とを備え、箱体の底板を磁石に引き付けられる材料（例えば鉄）から構成するとともに、可動仕切り部材の下面に永久磁石を設けたものである。また、もう一つの考案に係る整理箱は、底板及びこの底板の周囲から上方に延びた側板を有して上方に開口した箱体と、箱体の上面に設置された磁石に引き付けられる材料からなる板状部材と、箱体の内部に形成された空間を仕切るように板状部材上に載置された一又は複数の可動仕切り部材を備え、可動仕切り部材の下面に永久磁石を設けたものである。
【０００７】
また、本考案に係る整理箱においては、箱体に保持されて箱体の内部に形成された空間を仕切る一又は複数の固定仕切り部材を有し、可動仕切り部材が箱体の側板と固定仕切り部材との間の領域若しくは隣接する固定仕切り部材同士の間の領域を仕切るように設けられた構成とすることもできる。このとき固定仕切り部材は箱体に着脱自在に保持されるようになっていることが好ましい。また、これら整理箱を抽斗として構成してもよい。
【考案の効果】
【０００８】
本考案に係る整理箱では、箱体の内部に形成された空間を仕切る可動仕切り部材の下面に永久磁石を設けるとともに、この可動仕切り部材が載置される箱体の底板若しくは箱体の底板上に設置された板状部材を磁石に引き付けられる材料、すなわち強磁性材料（例えば鉄）から構成しているので、各可動仕切り部材は底板上若しくは板状部材上を移動自在でかつ任意の位置に設置することが可能である。このため物品の寸法等に合わせたきめ細かい可動仕切り部材の位置設定によって自由度の高い小物整理が可能であり、収納効率を高めることができる。しかも、従来のように仕切り部材の移動機構に摺動部を有さないのでそのような摺動機構部に起因する故障がなく、また構成も簡単なものとなるので製造コストを安価にすることができる。
【０００９】
また、上記本考案に係る整理箱が、箱体に保持されて箱体の内部に形成された空間を仕切る一又は複数の固定仕切り部材を有し、可動仕切り部材が箱体の側板と固定仕切り部材との間の領域若しくは隣接する固定仕切り部材の間の領域を仕切るように設けられるのであれば、固定仕切り部材と可動仕切り部材との組み合わせにより、より機能的な小物の収納整理が可能となる。更に、この固定仕切り部材が箱体に着脱自在に保持される構成となっているのであれば、収納整理しようとする物品の大きさ等に応じて固定仕切り部材を箱体に対して着脱することにより、一段と機能的な収納整理が可能となる。また、本考案に係る整理箱はそれ単体で机上等に置いて、或いは抽斗に収容して用いることができるのは勿論であるが、箱体の側板に把持部や手を差し込む凹部等を設けて本考案に係る整理箱を抽斗として製造すれば、収容効率の高い抽斗を得ることができる。
【考案を実施するための最良の形態】
【００１０】
以下、図面を参照して本考案の好ましい実施形態について説明する。図１及び図２は本考案の一実施形態に係る整理箱１であり、図３はこの整理箱１が抽斗ＤＲ内に収容された状態を示したものである。これらの図に示すように、整理箱１は上方に開口した箱体１０と、この箱体１０内に設置された複数の固定仕切り部材１４と、同じく箱体１０内に設置された複数の可動仕切り部材１５とを有して構成される。箱体１０は平らな矩形状の底板１１と、この底板１１の周囲（四辺）から上方に延びた４つの側板１２とが組み合わされて構成されており、少なくとも底板１１は磁石に引き付けられる材料（すなわち強磁性材料）からなる板材、例えば鉄板から構成される。
【００１１】
固定仕切り部材１４は樹脂材や鉄板などから製造され、箱体１０の内部に形成された空間ＳＰが区画される（仕切られる）ように、その両端部が対向する２つの側板１２において保持される。固定仕切り部材１４を保持する側板１２の内面には上下方向に延びた仕切り取り付け溝１２ａ（図２参照）が形成されており、固定仕切り部材１４の端部はこの仕切り取り付け溝１２ａ内に上方から挿入されるので、各固定仕切り部材１４は箱体１０に対して着脱自在である。なお、各固定仕切り部材１４は箱体１０の側板１２及び他の固定仕切り部材１４に対して平行になるように並んで配置される。
【００１２】
各可動仕切り部材１５は樹脂の射出成形や鉄板の曲げ加工等により製造され、側板１２と固定仕切り部材１４との間の領域、及び隣接する固定仕切り部材１４同士の間の位置に、これらの領域が区画されるように設置される。各可動仕切り部材１５は底板１１上において自立可能な形状（例えば直方体形状）に形成されており、その下面には永久磁石ＭＧが設けられている。永久磁石ＭＧは例えば図４（Ａ），（Ｂ）に示すように縦横比が大きい薄板形状のものが可動仕切り部材１５の長手方向に延びるように取り付けられる。このとき図４（Ａ）に示すように永久磁石ＭＧの両端部が可動仕切り部材１５の端部から露出するようにしても、また図４（Ｂ）に示すように永久磁石ＭＧの両端部が可動仕切り部材１５の端部から露出しないようにしてもよいが、可動仕切り部材１５の長手方向側面部からは露出しないようにすることが好ましい。このようにすれば、整理箱１内に金属製の物品（例えばクリップなど）を収納したとき、その物品が可動仕切り部材１５の長手方向側面部から露出した永久磁石ＭＧに吸着されてしまって整理箱１から取り出しにくくなることを防ぐことができる。或いは、図４（Ｃ）に示すように可動仕切り部材１５の下面の寸法に比して小寸法の小型の永久磁石ＭＧを可動仕切り部材１５の下面に複数個配設するようにしてもよい。
【００１３】
このような構成では、各可動仕切り部材１５の下面に取り付けられた永久磁石ＭＧが底板１１を引き付ける力（磁力）を発揮することによって各可動仕切り部材１５は箱体１０の底板１１に対して着脱自在となるので、各可動仕切り部材１５は固定仕切り部材１４の延びる方向に自由に移動させることができ（図１中に示す矢印参照）、そのうえで任意の位置に設置することができる。なお、ここに示す実施形態では、整理箱１が側板１２により保持された複数の固定仕切り部材１４を有し、可動仕切り部材１５が側板１２と固定仕切り部材１４との間の領域内、及び隣接する固定仕切り部材１４同士の間の領域内に設けられた構成となっているが、固定仕切り部材１４は必ずしも設けられていなくてもよく、長尺に形成した可動仕切り部材１５のみで箱体１０の空間ＳＰを区画するようにしてもよい。しかし、本実施形態のように可動仕切り部材１５のほかに固定仕切り部材１４を有しているのであれば、より機能的な収納整理ができる点で好ましい。そして、固定仕切り部材１４の数は本実施形態のように複数であってもよいが、１つであっても構わない。また、固定仕切り部材１４は本実施形態のように箱体１０に対して着脱自在で取り外し及び空間ＳＰ内での移動が可能な構成であることが好ましい。
【００１４】
ここで、可動仕切り部材１５は単に箱体１０内の空間ＳＰを区画する（仕切る）機能だけでなく、可動仕切り部材１５そのものに別途機能を持たせてもよい。例えば、図１に示す可動仕切り部材１５ａのように互いに平行な複数の溝部Ｄを設けて、ここに薄板状の物品を保持させるようにしてもよい。ここにいう薄板状の物品というのは、例えばカードや定規等であり、整理箱１が例えばシステムキッチンに付属した抽斗内に収容されて用いられるのであれば、例えば包丁等である。
【００１５】
このように本考案に係る整理箱１では、箱体１０の内部に形成された空間ＳＰを仕切る可動仕切り部材１５の下面に永久磁石ＭＧを設けるとともに、この可動仕切り部材１５が載置される箱体１０の底板１１を磁石に引き付けられる材料（ここでは鉄）から構成しているので、各可動仕切り部材１５は底板１１上を移動自在でかつ任意の位置に設置することが可能である。このため物品の寸法等に合わせたきめ細かい可動仕切り部材１５の位置設定によって自由度の高い小物整理が可能であり、収納効率を高めることができる。しかも、従来のように仕切り部材の移動機構に摺動部を有さないのでそのような摺動機構部に起因する故障がなく、また構成も簡単なものとなるので製造コストを安価にすることができる。なお、底板１１は他の磁石に引き付けられる材料（例えばニッケルやコバルトなど）から構成することもできるが、材料が安価な鉄板を用いることが好ましい。
【００１６】
ところで、本実施形態では、箱体１０の底板１１そのものが磁石に引き付けられる材料からなっており、これにより各可動仕切り部材１５は底板１１上に対して着脱自在かつ底板１１上を移動自在な構成となっていたが、このような構成に代えて、例えば、箱体１０そのものを木材や樹脂等から構成したうえで、箱体１０の底板１１の上面に磁石に引き付けられる材料からなる板状部材１３を設置するようにしてもよい（図５参照）。このような構成であっても上記実施形態の場合と同様の効果が得られる。また、上記実施形態では本考案に係る整理箱１が抽斗ＤＲ内に収容されて用いられる場合を示したが、箱体１０に側板１２に把持部や手を差し込む凹部等を設けて本考案に係る整理箱１を抽斗として製造すれば、収容効率の高い抽斗を得ることができる。
【００１７】
これまで本考案の好ましい実施形態について説明してきたが、本考案の範囲は上述の実施形態に示したものに限定されない。例えば、上述の実施形態では底板１１と側板１２とはそれぞれ別の板材（鉄板）から構成されていたが、一枚の板材（鉄板）を曲げ加工することにより一部の又は全部の側板１２が底板１１と一体に形成されるようにしてもよい。また、固定仕切り部材１４はその両端部が側板１２の内面に形成された仕切り取り付け溝１２ａ内に挿入されることによって側板１２に着脱自在に保持される構成であったが、固定仕切り部材１４は螺子止めその他の方法によって側板１２に着脱自在に保持される構成であってもよい。また、可動仕切り部材１５の形状は直方体形状に限らず、自立可能な形状であれば他の形状（例えば断面「Ｌ」字状など）であってもよい。
【００１８】
また、収納しようとする物品がタオルである場合など磁石に引き付けられるものでない場合や、磁石に引き付けられても特に不都合のない物品を収納するための整理箱である場合には、可動仕切り部材１５全体を永久磁石により構成してもよい。或いは、底板１１（若しくは板状部材１３）を永久磁石により構成し、可動仕切り部材１５を磁石に引き付けられる材料から（例えば鉄板を曲げ加工して）構成するようにしてもよい。後者の場合、可動仕切り部材１５全体を磁石に引き付けられる材料から構成するのではなく、可動仕切り部材１５を樹脂や木材等により構成し、その下面に鉄片など磁石に引き付けられる材料からなる部材を取り付けるようにしてもよい。
【図面の簡単な説明】
【００１９】
【図１】本考案の一実施形態に係る整理箱の斜視図である。
【図２】上記整理箱の分解斜視図である。
【図３】上記整理箱が抽斗内に収容されている状態を示す図である。
【図４】（Ａ），（Ｂ），（Ｃ）とも、永久磁石の仕切り部材への取り付け方の例を示す仕切り部材の下方斜視図である。
【図５】本考案のもう一つの実施形態を示す整理箱の分解斜視図である。
【符号の説明】
【００２０】
１      整理箱
１０    箱体
１１    底板
１２    側板
１２ａ  仕切り取り付け溝
１３    板状部材
１４    固定仕切り部材
１５    可動仕切り部材
ＳＰ    箱体の内部に形成された空間
ＭＧ    永久磁石
Ｄ      溝部
ＤＲ    抽斗
【図１】
0003110993.tif 000003
【図２】
0003110993.tif 000004
【図３】
0003110993.tif 000005
【図４】
0003110993.tif 000006
【図５】
0003110993.tif 000007